(57)【要約】      （修正有）【課題】家の外周りや庭、道路を掃除する際、ちりとりにゴミがすぐにイッパイになり何度もゴミ袋に移し変える手間や時間を短縮して手軽で効率良く手早く掃除ができるゴミ袋かぶせチリトリ器を提供する。【解決手段】材質ポリプロピレンの筒抜け様式の箱形ゴミ箱に安価で入手できるビニールテープを使ってビニールテープセット用突起部１、２にかぶせたゴミ袋に巻いて固定して使用する。ゴミ袋かぶせチリトリ器ごと地面をスライド移動させて使用するものである。【選択図】図１
0003228574.tif 000002
【実用新案登録請求の範囲】
【請求項１】
筒抜け構造の箱形製品によりゴミを掃き入れ口（４）から掃き出し口（５）を通してゴミ袋へ掃き入れるものである。
ゴミ袋はビニールテープにより突起部（１）と（２）を経由して一周巻いてセット固定して使用する（６）。ビニールテープをセットする突起部は上面に２カ所（１）、側面にそれぞれ１カ所（２）、ポリプロピレン材質一体成形により製作する。掃き出し口（５）のサイズは商品として輸送、保管、販売店陳列に対処して重ねられるよう、掃き入れ口（４）より小さくしている。掃き入れ部分は強度が保たれる範囲で、全体製品の厚みより薄くして掃き入れやすくする（３）。底面も使用時はゴミ袋におおわれている為、地面を移動させても底面の傷などダメージは最小に抑えられる。それにより耐久性も保たれる。機械部分、メタル部品を省いたシンプルな形態の為、雨によって腐食などで故障なども起こる事もなく長く使用できるものである。
【考案の詳細な説明】
【技術分野】
【０００１】  本実用新案は、各家庭での家のまわり、庭、道路での使用のためリサイクル性も高く広く普及している化学材料ポリプロピレンでの製造に関する。
【背景技術】
【０００２】  既存アイデア商品のチリトリ製品の構造はシンプルでなくコストもそのためかかってしまい販売価格も上がってしまっているため手軽に購入して広い普及を目指したものである。
【考案の概要】
【考案が解決しようとする課題】
【０００３】  シンプルな構造にして製造コストを抑えて買い求め易くし使用方法も簡単にして手軽に使用してもらうものである。
ゴミ袋セットの固定には安価で簡単に入手できる伸縮性のあるビニールテープを使用する。
【課題を解決するための手段】
【０００４】  チリトリからゴミ袋へ移し変える手間と時間を短縮する。機械部分をなくすことにより耐久性をもたせ長く使用することができる。
【考案の効果】
【０００５】  チリトリからゴミ袋に入れ移す際、意外と手間と時間がかかるものである。手もそのたびに汚れずに効率良く作業できないものかと考えた結果、ゴミ袋かぶせチリトリ器を考案したものである。
【考案を実施するための形態】
【０００６】  以下、本考案のゴミ袋かぶせチリトリ器の構造をその実施の最良の形態について図面に示す実施例に基づいて具体的に説明する。
【０００７】  図１は本考案の実施例を示すものであり、ゴミ袋セット前の形態である。
【０００８】  図２は本考案の実施例で、ゴミ袋をビニールテープで固定セットしたものである。
【０００９】  本考案の材質は軽量、剛性、熱可塑性、リサイクル性に優れている化学材料ポリプロピレンで製作する。
【００１０】  ゴミ袋がゴミでいっぱいになるまで家の隅に置けて雨風でも散らばることがないものである。
【００１１】  本考案のポイントとなるビニールテープがずれないように固定セットするビニールテープセット用突起部の図１‐１と２は、ポリプロピレン成形工程により製作するものとする。
【実施例１】
【００１２】  図２がゴミ袋をビニールテープで固定セットしたものである。
【産業上の利用可能性】
【００１３】  効率良く楽に作業ができ、時間の短縮にもつながるようになる。
【図面の簡単な説明】
【００１４】
【図１】本考案の正面斜視図である。隠れた線は、破線で表示する。数字１と２は成形工程で製作した部分である。数字３の掃き入れ部分は全体製品の厚みより強度面も考慮した薄さにして掃き入れやすくする。
【図２】ゴミ袋をセットしてビニールテープで固定した時の正面斜視図である。
【符号の説明】
【００１５】１・・・・・・・上面のビニールテープセット用突起部
２・・・・・・・側面のビニールテープセット用突起部
３・・・・・・・掃き入れ部分の厚み指定
４・・・・・・・掃き入れ箇所
５・・・・・・・掃き出し箇所
６・・・・・・・ゴミ袋の上から固定セットするビニールテープ
【図１】
0003228574.tif 000003
【図２】
0003228574.tif 000004
【図３】
0003228574.tif 000005
【図４】
0003228574.tif 000006
【図５】
0003228574.tif 000007
【手続補正書】
【提出日】令和2年3月13日(2020.3.13)
【手続補正１】
【補正対象書類名】実用新案登録請求の範囲
【補正対象項目名】全文
【補正方法】変更
【補正の内容】
【実用新案登録請求の範囲】
【請求項１】
筒抜け構造のポリプロピレン材質一体成形の箱形製品によりゴミを掃き入れ口（４）から掃き出し口（５）を通してゴミ袋へと掃き入れるものであり、ビニールテープ（６）でセットするための突起部を上面に２カ所（１）、側面にそれぞれ１カ所づつ（２）、を経由して１周巻いてセット固定し、掃き出し口（５）のサイズは商品として輸送、保管、販売店陳列に対処して重ねられるよう、掃き入れ口（４）よりサイズを小さくし、掃き入れ部分（３）は強度が保たれる範囲で厚みを薄くして掃き入れやすくし、底面も使用時はゴミ袋に被われているため、地面を移動させて使用しても底面の傷などのダメージは最小限に抑えられるので耐久性も保たれ、機械部分、金属部品を省いたシンプルな形態のため、雨によりサビ腐食などでの故障トラブルもなく長く使用できるゴミ袋かぶせチリトリ器。
【手続補正２】
【補正対象書類名】明細書
【補正対象項目名】００１４
【補正方法】追加
【補正の内容】
【００１４】
【図１】本考案の正面斜視図である。隠れた線は、破線で表示する。数字１と２は成形工程で製作した部分である。数字３の掃き入れ部分は全体製品の厚みより強度面も考慮した薄さにして掃き入れやすくする。
【図２】ゴミ袋をセットしてビニールテープで固定した時の正面斜視図である。
【図３】本考案の掃き入れ口（４）から見た正面図である。
【図４】本考案の上から見た平面図である。
【図５】本考案の横から見た側面図である。
【手続補正書】
【提出日】令和2年7月1日(2020.7.1)
【手続補正１】
【補正対象書類名】実用新案登録請求の範囲
【補正対象項目名】全文
【補正方法】変更
【補正の内容】
【実用新案登録請求の範囲】
【請求項１】
筒抜け構造のポリプロピレン材質一体成形の箱形製品によりゴミを掃き入れ口（４）から掃き出し口（５）を通してゴミ袋へと掃き入れるものであり、ビニールテープ（６）でセットするための突起部を上面に２カ所（１）、側面にそれぞれ１カ所づつ（２）備え、それらを経由させ前記ビニールテープ（６）をぐるりと１周巻いてセット固定させ、掃き出し口（５）のサイズは商品として輸送、保管、販売店陳列に対処して重ねられるよう、掃き入れ口（４）よりサイズを小さくし、掃き入れ部分（３）は強度が保たれる範囲で厚みを薄くして掃き入れやすくし、底面も使用時はゴミ袋に被われているため、地面を移動させて使用しても底面の傷などのダメージは最小限に抑えられるので耐久性も保たれ、機械部分、金属部品を省いたシンプルな形態のため、雨によりサビ腐食などでの故障トラブルもなく長く使用できるゴミ袋かぶせチリトリ器。